(57)【要約】      （修正有）【課題】アフィリエイト広告の効率性と収益性を向上させる。【解決手段】アフィリエイト広告管理方法は，第１の媒体主サーバ２０が媒体主サイトにアクセスした利用者端末１０に閲覧情報を記憶させ，バナー広告のハイパーリンクによって利用者端末１０が広告主サイトにアクセスした場合に，第２の媒体主サーバ３０が利用者端末１０にリンク情報を記憶させ，広告主サイトにおいて利用者がコンバージョン行動をとった場合に，広告主サーバ６０が第１の媒体主サーバ２０にバナー広告を提供した第１のアドサーバ４０と第２の媒体主サーバ３０にバナー広告を提供した第２のアドサーバ５０とに成果信号を送信し，第１のアドサーバ４０が利用者が閲覧した媒体主サイトに関する成果レポートを管理サーバ７０に送信し，第２のアドサーバ５０が利用者がとったコンバージョン行動に関する成果レポートを管理サーバ７０に送信する。【選択図】図２
2018092390.tif 000002
【特許請求の範囲】
【請求項１】
バナー広告を有するある媒体主サイトを提供する第１の媒体主サーバが，当該媒体主サイトにアクセスした利用者端末に閲覧情報を記憶させる工程と，
バナー広告を有する他の媒体主サイトを提供する第２の媒体主サーバが，当該バナー広告に関連付けられたハイパーリンクによって前記利用者端末が広告主サーバの提供する広告主サイトにアクセスした場合に，前記利用者端末にリンク情報を記憶させる工程と，
前記利用者端末を所有する利用者が前記広告主サイトにおいてバナー広告の目的に含まれるコンバージョン行動をとった場合，前記広告主サーバが，前記利用者端末に記憶されている前記閲覧情報及び前記リンク情報に基づいて，前記第１の媒体主サーバにバナー広告を提供した第１のアドサーバと，前記第２の媒体主サーバにバナー広告を提供した第２のアドサーバとに成果信号を送信する工程と，
前記第１のアドサーバが，前記成果信号に基づいて，前記利用者がコンバージョン行動を取る前に閲覧した媒体主サイトに関する情報を含む成果レポートを作成して，前記管理サーバに送信する工程と，
前記第２のアドサーバが，前記成果信号に基づいて，前記利用者がとったコンバージョン行動に関する情報を含む成果レポートを作成して，管理サーバに送信する工程と，を有する
アフィリエイト広告管理方法。
【請求項２】
前記管理サーバが，前記第２のアドサーバから受け取った成果レポートに基づいて，前記利用者がコンバージョン行動済みのバナー広告が媒体主サイトに表示されないように，前記第１のアドサーバが前記第１の媒体主サーバに提供するバナー広告と，前記第２のアドサーバが前記第２の媒体主サーバに提供するバナー広告とを制御する工程を，さらに有する
請求項１に記載のアフィリエイト広告管理方法。
【請求項３】
前記管理サーバが，前記第１のアドサーバから受け取った成果レポートに基づいて，前記利用者によりアクセスされた結果，前記利用者が興味を持つと推測される広告主サイトに関連するバナー広告を媒体主サイトに表示するように，前記第１のアドサーバが前記第１の媒体主サーバに提供するバナー広告と，前記第２のアドサーバが前記第２の媒体主サーバに提供するバナー広告とを制御する工程を，さらに有する
請求項１に記載のアフィリエイト広告管理方法。
【請求項４】
第１の媒体主サーバと，第２の媒体主サーバと，第１のアドサーバと，第２のアドサーバと，広告主サーバと，管理サーバとが，ネットワークを介して接続されたアフィリエイト広告システムであって，
前記第１のアドサーバは，前記第１の媒体主サーバにバナー広告を提供し，
前記第２のアドサーバは，前記第２の媒体主サーバにバナー広告を提供するものであり，
前記第１の媒体主サーバは，バナー広告を有するある媒体主サイトを提供するとともに，当該媒体主サイトにアクセスした利用者端末に閲覧情報を記憶させ，
前記第２の媒体主サーバは，バナー広告を有する他の媒体主サイトを提供するとともに，当該バナー広告に関連付けられたハイパーリンクによって前記利用者端末が広告主サーバの提供する広告主サイトにアクセスした場合に，前記利用者端末にリンク情報を記憶させ，
前記広告主サーバは，前記利用者端末を所有する利用者が前記広告主サイトにおいてバナー広告の目的に含まれるコンバージョン行動をとった場合に，前記利用者端末に記憶されている前記閲覧情報及び前記リンク情報に基づいて，前記第１のアドサーバと前記第２のアドサーバとに成果信号を送信し，
前記第１のアドサーバは，前記成果信号に基づいて，前記利用者がコンバージョン行動を取る前に閲覧した媒体主サイトに関する情報を含む成果レポートを作成して，前記管理サーバに送信し，
前記第２のアドサーバは，前記成果信号に基づいて，前記利用者がとったコンバージョン行動に関する情報を含む成果レポートを作成して，前記管理サーバに送信する
アフィリエイト広告管理システム。
【請求項５】
請求項４に記載のアフィリエイト広告管理システムにおける管理サーバであって，
前記管理サーバは，前記第１のアドサーバから受け取った成果レポート及び前記第２のアドサーバから受け取った成果レポートの両方又はいずれか一方に基づいて，前記第１のアドサーバが前記第１の媒体主サーバに提供するバナー広告と，前記第２のアドサーバが前記第２の媒体主サーバに提供するバナー広告とを制御する
管理サーバ。
【発明の詳細な説明】
【技術分野】
【０００１】
本発明は，アフィリエイトサービスプロバイダが介在する成功報酬型（アフィリエイト）広告の管理方法，管理システム，及び管理サーバに関する。特に，本発明は，複数のアフィリエイトサービスプロバイダが保有するアドサーバを統合的に管理することで，アフィリエイト広告の効率性と収益性を向上させることのできる広告管理方法等に関するものである。
【背景技術】
【０００２】
従来から，インターネット上で商品やサービスの販売を促進するための広告形態として，成果報酬型広告（アフィリエイト広告）が知られている。アフィリエイト広告とは，例えば，ウェブサイト内に設けられたバナー広告を経由して商品が購入されたりサービスの申し込みが行われたりすると，広告主からそのウェブサイトを運営する媒体主に，商品やサービスの売上に応じた額の報酬が支払われる形態の広告である。このようなアフィリエイト広告に関するシステムは，例えば特許文献１に開示されている。
【０００３】
また，アフィリエイト広告は，一般的に，アフィリエイトサービスプロバイダ（以下「ＡＳＰ）によって提供される。このようなＡＳＰを介した従来のアフィリエイト管理システムの一例を，図４に示している。図４に示されるように，広告主は，自社の商品やサービスに関するバナー広告をウェブサイトに出稿することを希望する場合，まずＡＳＰに依頼をする。ＡＳＰは，広告主からの依頼を受けて，自社のアドサーバに蓄積されているバナー広告の配信設定を行い，契約済みの媒体主が管理するウェブサイトにバナー広告を配信する。利用者は，スマートフォンやコンピュータなどの利用者端末を使用して，媒体主のウェブサイトにアクセスする。媒体主のウェブサイトに利用者の興味を惹くバナー広告があった場合に，利用者によってそのバナー広告をクリックされると，ハイパーリンクによってバナー広告に関連付けられた広告主のウェブサイトへとリンクされる。このとき，媒体主のウェブサイトを提供する媒体主サーバにより，利用者端末には，一般的にＣｏｏｋｉｅと呼ばれるファイル内に，利用者がクリックしたバナー広告を特定する情報を含むリンク情報が記憶される。そのリンク情報を保持した利用者端末が，広告主のウェブサイトにおいて商品の購入やサービスの申し込みなどのコンバージョン行動をとると，広告主のウェブサイトを提供する広告主サーバによって，利用者端末からリンク情報が読み出され，そのリンク情報に基づいて成果信号が生成される。広告主サーバは，成果信号をＡＳＰ（又はアドサーバ）に提供し，ＡＳＰは受け取った成果信号に基づいて，広告主に成果レポートを提供する。広告主は，ＡＳＰから受け取った成果レポートを検証して，バナー広告によって成果が得られたと判断した場合には，広告報酬の支払いを承認する。
【０００４】
このように，従来のシステムにおいて，広告主は，自己の商品やサービスの広告を各ＡＳＰに依頼し，媒体主は，このＡＳＰと契約して自己の運営するウェブサイトにバナー広告を設置する。従って，広告主が，インターネット上で一度に広範囲の商品やサービスの販売促進活動を行なおうとすると，数多くのＡＳＰと契約して，多くのウェブサイトにバナー広告を設置してもらう必要があった。
【先行技術文献】
【特許文献】
【０００５】
【特許文献１】特開２００９−１９３４７３号公報
【発明の概要】
【発明が解決しようとする課題】
【０００６】
しかしながら，広告主が複数のＡＳＰと契約すると，ＡＳＰ毎に異なる仕組にシステムを対応させる必要があるため，導入コストが増加してしまう。また，ＡＳＰ毎に商品の広告を入稿したり，報酬を設定したり，ＡＳＰ毎に発生する報酬の支払いや固定費の支払いを管理する必要があるので，手続が煩雑になる。さらに，アフィリエイト広告を介して販売された商品やサービスの売上高，報酬の支払額等の明細は，各ＡＳＰからそれぞれ個別に広告主に提供されるので，その全体を把握するためには，各ＡＳＰのアドサーバを巡回して，それぞれに提供されている情報を加工して必要な情報を得る必要がある。すなわち，広告主が複数のＡＳＰと契約すると，アフィリエイト広告を利用するための導入コストや管理コストが増大するという問題がある。
【０００７】
また，アドテクノロジーの進化が進むインターネット広告において，アフィリエイト広告は，旧来のシステムやスキームのままで長く留まっている。すなわち，アフィリエイト広告が成果報酬型広告であるという仕組みの都合上，ウェブサイトを運営する媒体主にＡＳＰがバナー広告を提供し，そのバナー広告を通じて利用者を広告主のウェブサイトに誘導して，商品やサービスの申込みなどの成果に導くこととなる。しかし，広告主が商品やサービスの申込みを確認する際に，不正や重複申し込みなどを排除するために広告主側での確認作業が手動で行われており，アドテクノロジーの進化で前提となる広告の自動化などが行われてこなかった。そのため，これまでのアフィリエイト広告は，媒体主の収益性が上方硬直している状況であり，また広告主としても広告出稿から成果確認までのコミュニケーションコストが高い状態で硬直していた。
【０００８】
また，アフィリエイト広告は，ＡＳＰのそれぞれがバナー広告を管理しており，どの媒体主にどのバナー広告を提供するのかを各ＡＳＰが独自に決定している。このため，上記のように，ある広告主が多数のＡＳＰと契約して多数のウェブサイトにバナー広告するような場合に，利用者が，あるウェブサイトのバナー広告を通じて商品を購入済みであったとしても，他のウェブサイトには，その購入済みの商品に関するバナー広告が掲載され続けることとなる。既に商品を購入済みの利用者に対して同じ商品のバナー広告を提示しても成果が上がることは見込めないが，従来はこのような状況が継続されており，アフィリエイト広告の収益性の低下を招いていた。
【０００９】
さらに，従来のアフィリエイト広告では，利用者が広告主のウェブサイトにて商品の購入やサービスの申込みを行う直前にアクセスしたウェブサイトの媒体主に対してのみ，広告報酬が支払われることとなる。しかし，例えば商品等の購入の前の前にアクセスしたウェブサイトも，利用者に対して商品等の購入の動機付けを与えている可能性があるが，このようなウェブサイトの媒体主に対しては一切広告報酬が支払われておらず，広告報酬の適切な分配がなされていなかった。前述のようにＡＳＰが多数存在し，それぞれが独自に契約を交わした媒体主に対して広告報酬を支払っている現状が，広告報酬の適切な分配を困難にしているといえる。このような現状も，アフィリエイト広告の収益性の低下を招く一因となっていた。
【００１０】
そこで，本発明は，上述した従来のアフィリエイト広告のシステムの問題点を解決するために提案されるものであり，アフィリエイト広告の効率性と収益性を向上させることを目的とする。具体的には，本発明は，広告主のアフィリエイト承認におけるコミュニケーションコストの減少，アフィリエイト広告を配信する媒体主の収益性向上，及び利用者に対する適切なアフィリエイト広告の配信管理を行うことを目的とする。
【課題を解決するための手段】
【００１１】
本発明の発明者は，上記の従来技術の問題を解決する手段について鋭意検討した結果，各ＡＳＰが運用する複数のアドサーバを統合管理するための管理サーバを設け，ＡＳＰの垣根を超えて，広告主に対して提示する成果レポートを管理サーバに集約することにより，アフィリエイト広告の効率性と収益性を向上させることができるという知見を得た。そして，本発明者は，上記知見に基づけば，従来技術の課題を解決できることに想到し，本発明を完成させた。具体的に説明すると，本発明は以下の工程・構成を有する。
【００１２】
本発明の第１の側面は，アフィリエイト広告管理方法に関する。本発明に係るアフィリエイト広告管理方法は，閲覧情報記憶工程と，リンク記憶工程と，成果信号送信工程と，第１の成果レポート送信工程と，第２の成果レポート送信工程とを含む。まず，閲覧情報記憶工程では，バナー広告を有するある媒体主サイトを提供する第１の媒体主サーバが，当該媒体主サイトにアクセスした利用者端末に閲覧情報を記憶させる工程である。次に，リンク情報記憶工程は，バナー広告を有する他の媒体主サイトを提供する第２の媒体主サーバが，当該バナー広告に関連付けられたハイパーリンクによって利用者端末が広告主サーバの提供する広告主サイトにアクセスした場合に，利用者端末にリンク情報を記憶させる工程である。次に，成果信号送信工程は，利用者端末を所有する利用者が広告主サイトにおいてバナー広告の目的に含まれるコンバージョン行動をとった場合に，広告主サーバが，利用者端末に記憶されている閲覧情報及びリンク情報に基づいて，第１の媒体主サーバにバナー広告を提供した第１のアドサーバと，第２の媒体主サーバにバナー広告を提供した第２のアドサーバとに成果信号を送信する工程である。次に，第１の成果レポート送信工程は，第１のアドサーバが，成果信号に基づいて，利用者がコンバージョン行動を取る前に閲覧した媒体主サイトに関する情報を含む成果レポートを作成して，管理サーバに送信する工程である。第２の成果レポート送信工程は，第２のアドサーバが，成果信号に基づいて，利用者がとったコンバージョン行動に関する情報を含む成果レポートを作成して，管理サーバに送信する工程である。
【００１３】
上記のように，本発明では，各ＡＳＰが運用するアドサーバからの成果レポートが，本システム全体の管理を行う管理ＡＳＰが運用する管理サーバに集約される。このため，例えば，広告主は，管理サーバを運用する管理ＡＳＰ一社と広告代理契約を締結すれば，この管理ＡＳＰと業務提携している他の多数のＡＳＰを通じて，多数の媒体主のウェブサイトにバナー広告を一括して配信することが可能となる。また，各ＡＳＰからの成果レポートは管理ＡＳＰに集約されるため，広告主は管理ＡＳＰに対して広告報酬を支払えば済むようになる。これにより，広告主は，バナー広告出稿時や広告報酬の支払時に，複数のＡＳＰと個別にコミュニケーションする必要がなくなるため，広告主のコミュニケーションを大幅に低減できる。また，本システムでは，ＡＳＰの垣根を超えて，バナー広告の成果を管理ＡＳＰにおいて一元的に管理することができるため，利用者の嗜好や行動履歴に基づいて，利用者に対して適切なバナー広告を提示するように，各ＡＳＰのアドサーバを管理サーバによって制御することも可能である。これにより，各ＡＳＰの枠組みを超えて，利用者に対して不必要なバナー広告を停止したり，或いは訴求効果の高いバナー広告を適切に提示できるようになる。さらに，本発明では，広告主のウェブサイトの直前に利用者がアクセスしていた媒体主のウェブサイトからのリンク情報だけでなく，その直前のウェブサイトの前や或いはその前の前など，利用者が広告主のウェブサイトに辿り着く前にアクセスした他の媒体主のウェブサイトの閲覧情報を特定することができる。これにより，広告主のウェブサイトに利用者を直接的に導いた媒体主の広告（ダイレクト広告）だけでなく，利用者を広告主のウェブサイトに導くことに間接的に寄与した媒体主の広告（アシスト広告）に対しても，広告報酬を分配することも可能となる。これにより，媒体主の収益性の向上につながる。
【００１４】
本発明に係るアフィリエイト広告管理方法は，第１のバナー広告制御工程をさらに含むことが好ましい。第１のバナー広告制御工程は，管理サーバが，第１のアドサーバから受け取った成果レポートに基づいて，利用者によりアクセスされた結果，利用者が興味を持つと推測される広告主サイトに関連するバナー広告を媒体主サイトに表示するように，第１のアドサーバが第１の媒体主サーバに提供するバナー広告と，第２のアドサーバが第２の媒体主サーバに提供するバナー広告とを制御する工程である。
【００１５】
上記のように，ＡＳＰの枠組みを超えて，利用者がアクセスしたウェブサイトの閲覧情報を管理サーバに集約することで，各利用者の閲覧情報から利用者ごとの趣味及び趣向を分析することができる。これにより，利用者が興味を持つと推測されるバナー広告を選定して，そのバナー広告を別々のＡＳＰが管理している媒体主のウェブサイトに配信することができる。
【００１６】
本発明に係るアフィリエイト広告管理方法は，第２のバナー広告制御工程をさらに含むことが好ましい。第２のバナー広告制御工程は，管理サーバが，第２のアドサーバから受け取った成果レポートに基づいて，利用者がコンバージョン行動済みのバナー広告が媒体主サイトに表示されないように，第１のアドサーバが第１の媒体主サーバに提供するバナー広告と，第２のアドサーバが第２の媒体主サーバに提供するバナー広告とを制御する工程である。
【００１７】
上記のように，ＡＳＰの枠組みを超えて，管理サーバが利用者のコンバージョン情報を収集することで，利用者がコンバージョン済みであり広告効果のないバナー広告を，その利用者に提示し続けるような非効率性を解消できる。特に，従来は，あるＡＳＰの管理範囲内であれば利用者がコンバージョン済みであるかどうかを検出して，利用者に提示するバナー広告を更新することができたが，その情報は複数のＡＳＰ間で共有されることはなかったため，別のＡＳＰの管理範囲内では，広告効果のないバナー広告の掲載が継続されていた。本発明では，ＡＳＰが運用するアドサーバを統合的に管理することで，このような従来の問題を解決できる。
【００１８】
本発明の第２の側面は，アフィリエイト広告管理システムに関する。本発明に係るアフィリエイト広告システムは，第１の媒体主サーバ，第２の媒体主サーバ，第１のアドサーバ，第２のアドサーバ，広告主サーバ，及び管理サーバを備え，これらの要素（コンピュータ）がネットワークを介して接続されている。第１のアドサーバは，第１の媒体主サーバにバナー広告を提供し，第２のアドサーバは，第２の媒体主サーバにバナー広告を提供する。第１の媒体主サーバは，バナー広告を有するある媒体主サイトを提供するとともに，当該媒体主サイトにアクセスした利用者端末に閲覧情報を記憶させる。第２の媒体主サーバは，バナー広告を有する他の媒体主サイトを提供するとともに，当該バナー広告に関連付けられたハイパーリンクによって利用者端末が広告主サーバの提供する広告主サイトにアクセスした場合に，利用者端末にリンク情報を記憶させる。広告主サーバは，利用者端末を所有する利用者が広告主サイトにおいてバナー広告の目的に含まれるコンバージョン行動をとった場合に，利用者端末に記憶されている閲覧情報及びリンク情報に基づいて，第１のアドサーバと第２のアドサーバとに成果信号を送信する。第１のアドサーバは，成果信号に基づいて，利用者がコンバージョン行動を取る前に閲覧した媒体主サイトに関する情報を含む成果レポートを作成して，管理サーバに送信する。第２のアドサーバは，成果信号に基づいて，利用者がとったコンバージョン行動に関する情報を含む成果レポートを作成して，管理サーバに送信する。
【００１９】
本発明の第３の側面は，管理サーバに関する。本発明に係る管理サーバは，上記したアフィリエイト広告管理システムにおいて機能するものである。管理サーバは，第１のアドサーバから受け取った成果レポート及び第２のアドサーバから受け取った成果レポートの両方又はいずれか一方に基づいて，第１のアドサーバが第１の媒体主サーバに提供するバナー広告と，第２のアドサーバが第２の媒体主サーバに提供するバナー広告とを制御する。
【発明の効果】
【００２０】
本発明によれば，アフィリエイト広告の効率性と収益性を向上させることができる。
【図面の簡単な説明】
【００２１】
【図１】図１は，本発明に係るアフィリエイト広告管理システムの一例を示した模式図である。特に，図１は，図４に示した従来のシステムとの対比において，本発明のシステムを示している。
【図２】図２は，本発明に係るアフィリエイト広告管理システムの構成の一例を示したブロック図である。
【図３】図３は，本発明に係るアフィリエイト広告管理方法の一例を示したフロー図である。
【図４】図４は，従来のアフィリエイト広告管理システムの例を示した模式図である。
【発明を実施するための形態】
【００２２】
以下，図面を用いて本発明を実施するための形態について説明する。本発明は，以下に説明する形態に限定されるものではなく，以下の形態から当業者が自明な範囲で適宜変更したものも含む。
【００２３】
図１及び図２に示されるように，本発明に係るアフィリエイト広告管理システム１００は，利用者端末１０と，複数の媒体主サーバ２０，３０と，複数のアドサーバ４０，５０，広告主サーバ６０と，管理サーバ７０とを備えている。本システム１００を構成する要素（コンピュータ）は，インターネットなどのネットワークを介して，相互に情報の授受を行うことができるように接続されている。
【００２４】
利用者端末１０は，ウェブサイトを閲覧する利用者によって所有される。利用者端末１０は，ウェブブラウザプログラムを有しており，インターネットを介して，媒体主サーバ２０，３０が提供するウェブサイト（媒体主サイト）や，広告主サーバ６０が提供するウェブサイト（広告主サイト）にアクセスし，各ウェブサイトを閲覧することができる。利用者端末１０としては，一般的なスマートフォンや，タブレット型端末，ラップトップ型端末などに代表される携帯型情報通信端末や，デスクトップ型のパーソナルコンピュータなどを利用することができる。図示した例では，利用者端末１０を一台のみ図示しているが，本発明のシステム１００には複数の利用者端末１０が含まれていてもよい。
【００２５】
利用者端末１０は，一般的なコンピュータと同じ構成を採用すればよい。具体的には，利用者端末１０は，ＣＰＵやＧＰＵによって構成されたプロセッサと，プロセッサに情報を入力するための入力装置と，プロセッサによる演算結果を出力するための出力装置と，プロセッサによる演算結果などを読み書きするために利用されるメインメモリと，所定のデータやアプリケーションプログラムを記憶するのに利用されるストレージとを備える（メインメモリとストレージを合わせて記憶装置ともいう）。また，入力装置及び出力装置には，インターネットを介して外部のサーバ装置と通信するための通信装置が含まれる。その他の入力装置の例は，マウスや，キーボード，タッチパネルであり，その他の出力装置の例は，ディスプレイやスピーカである。利用者端末１０は，ストレージに記憶されているアプリケーションプログラムをメインメモリに展開し，入力装置を介して入力された情報を，当該プログラムに従ってプロセッサによって演算処理し，その演算結果を適宜メインメモリに読み書きしながら，出力装置を介して外部に出力することができる。
【００２６】
媒体主サーバ２０，３０は，利用者に提供する媒体主サイトを運営する媒体主によって管理運用されているサーバ装置である。図２に示した例においては，同じ広告主から出稿されたバナー広告が，複数の媒体主サーバ２０，３０の運営する媒体主サイトに表示されている状態を示している。なお，各媒体主サイトのバナー広告は，同じ広告主サイトへのリンクが関連付けられているなど，その広告の目的が同じであることが好ましく，バナー広告の画像や大きさが異なっていても特に問題はない。つまり，図２に示した例において，第１の媒体主サーバ２０の媒体主サイトと第２の媒体主サーバ３０の媒体主サイトに表示されるバナー広告は，それをクリックすると同じ広告主サーバ６０の広告主サイトにリンクするようになっていることが好ましい。
【００２７】
また，図２に示した例においては，便宜上，複数の媒体主サーバ２０，３０を，第１の媒体主サーバ２０と，第２の媒体主サーバ３０に分けて示している。すなわち，バナー広告を介して利用者端末１０を広告主サイトに直接的に誘導した媒体主サイトを提供するものを「第２の媒体主サーバ３０」とし，利用者端末１０を広告主サイトへ直接誘導していないものの，その利用者端末１０が広告主サイトの前にアクセスしていた閲覧履歴が残っている媒体主サイトを提供するものを「第１の媒体主サーバ２０」としている。このため，利用者端末１０は，第１の媒体主サーバ２０，第２の媒体主サーバ３０，及び広告主サーバ６０の順にアクセスすることとなる。なお，第２の媒体主サーバ３０は，その性質上，１つに限られるが，第１の媒体主サーバ２０は，利用者端末１０による閲覧履歴を辿ることができる範囲で複数存在している場合がある。
【００２８】
複数のアドサーバ４０，５０は，媒体主サーバ２０，３０にバナー広告を提供するＡＳＰによって管理運用されているサーバ装置である。特に，アドサーバ４０，５０は，媒体主と直接の契約関係にある一般的なＡＳＰ（図１に示した「他のＡＳＰ」）が運用するものを指している。図に示されるように，各アドサーバ４０，５０は，広告データベース（広告ＤＢ）４１，５１を有している。各広告ＤＢ４１，５１には，各媒体主サーバ２０，３０に提供するバナー広告に関する情報が格納されている。広告ＤＢ４１，５１には，例えば，バナー広告を示す画像情報や，音情報，動画情報，バナー広告によるハイパーリンクのリンク先を示すアドレス情報，バナー広告の依頼元である広告主に関する情報などが関連付けて記憶されている。なお，広告ＤＢ４１，５１に記憶する情報は，これらのものに限られず，その他公知の情報を適宜記憶することができる。
【００２９】
また，図２に示した例においては，便宜上，複数のアドサーバ４０，５０を，第１のアドサーバ４０と，第２のアドサーバ５０に分けて示している。ここでは，前述した第１の媒体主サーバ２０に対して広告ＤＢ４１に格納されているバナー広告を提供するものを「第１のアドサーバ４０」とし，前述した第２の媒体主サーバ３０に対して広告ＤＢ５１に格納されているバナー広告を提供するものを「第２のアドサーバ５０」としている。なお，第２のアドサーバ５０は，その性質上，１つに限られるが，第１のアドサーバ４０は，第１の媒体主サーバ２０と同様に複数存在している場合がある。また，第１の媒体主サーバ２０を運用する媒体主と第２の媒体主サーバ３０を運用する媒体主とが，同じＡＳＰと契約していることも考えられ，その場合には，第１のアドサーバ４０と第２のアドサーバ５０は同じサーバ装置となったり，或いは同じＡＳＰによって運用されていることも考えられる。
【００３０】
広告主サーバ６０は，バナー広告の出稿元である広告主によって管理運用されているサーバ装置である。広告主は，図１に示した管理ＡＳＰや他のＡＳＰにアフィリエイト広告を依頼し，利用者のコンバージョンに成功した場合には各ＡＳＰに報酬を支払う立場にある。広告主サーバ６０は，利用者端末１０に対して，商品の購入やサービスの申込みが可能な広告主サイトを提供する。また，各媒体主サイトに表示されたバナー広告には，広告主サイトへのハイパーリンクが関連付けられており，このバナー広告をクリックすると，媒体主サイトから広告主サイトに直接リンクするようになっている。図１に示したように，広告主サイトは，例えば，最初にリンク先である導入ページ（ランディングページ）や，商品等の購入の手続を行う手続ページ，商品等の購入後に表示される完了ページなどが含まれる。
【００３１】
管理サーバ７０は，本システム１００全体を運用する管理ＡＳＰにより管理運用されているサーバ装置である。管理サーバ７０を設けることにより，従来はＡＳＰ毎に独立して運用されていた複数のアドサーバ４０，５０を統合的に管理することが可能となる。基本的に，管理サーバ７０は，各アドサーバ４０，５０からアフィリエイト広告に関する成果レポートを受け取る。また，管理サーバ７０は，各アドサーバ４０，５０から受け取った成果レポートを解析して，その解析結果に基づいて制御信号を生成し，複数のアドサーバ４０，５０が各媒体主サーバ２０，３０に提供するバナー広告を制御する。
【００３２】
また，図２に示されるように，管理サーバ７０は，広告管理ＤＢ７１を有している。この広告管理ＤＢ７１は，各アドサーバ４０，５０が備える広告ＤＢ４１，５１とデータ連携しており，基本的に，広告管理ＤＢ７１には，各広告ＤＢ４１，５１に格納されているバナー広告に関するメタデータが記録されている。管理サーバ７０は，この広告管理ＤＢ７１に記憶されている情報に基づいて，各アドサーバ４０，５０に対して，媒体主サーバ２０，３０に提供すべきバナー広告を指示する。また，各アドサーバ４０，５０の広告ＤＢ４１，５１に記憶されているバナー広告を，横断的に利用することもできる。例えば，第１のアドサーバ４０の広告ＤＢ４１に記憶されているバナー広告を，第２のアドサーバ５０に転送して，第２のアドサーバ５０から第２の媒体主サーバ３０に提供するように制御することもできる。このような意味において，各広告ＤＢ４１，５１は，広告管理ＤＢ７１によってデータ連携されている。また，広告管理ＤＢ７１は，外部のＤＭＰ（Data Management Platform）を管理するサーバとデータ連携されていてもよい。ＤＭＰは，インターネット上の様々なサーバに蓄積されるビッグデータや自社サイトのログデータなどを一元管理及び分析し，最終的に広告配信などのアクションプランの最適化を実現するためのプラットフォームである。管理サーバ７０が，外部のＤＭＰサーバと連携していることで，利用者端末１０ごとに，媒体主サイトに配信するバナー広告を最適化することができる。
【００３３】
また，広告管理ＤＢ７１には，利用者ごとに，媒体主サイトの閲覧情報や，広告主サイトでの商品の購入履歴，サービスの申し込み履歴に関する情報を記憶しておくことができる。例えば，広告管理ＤＢ７１には，利用者が保有する利用者端末１０の個体識別番号やＩＰアドレスなどの識別情報に関連付けて，当該利用者端末１０がアクセスした媒体主サイトのウェブアドレス（閲覧履歴）や，当該利用者端末１０を介して広告主サイトで購入した商品やサービスに関する情報を記憶することができる。これにより，管理サーバ７０は，ウェブサイトの閲覧情報から利用者の趣味趣向を分析したり，あるいは利用者の購入した商品等を把握することができる。
【００３４】
図１に示されるように，本発明のシステム１００においては，広告主は，管理サーバ７０を運用している管理ＡＳＰに対して，一括してバナー広告の出稿を依頼することができる。管理ＡＳＰにバナー広告を依頼することで，他の複数のＡＳＰを介して，多数の媒体主サイトにバナー広告が表示される。また，広告主は，管理ＡＳＰから，多数の媒体主サイトにおける広告の成果がまとめられた成果レポートを所定のフォーマットで受け取ることができるため，広告報酬の承認作業を簡便化することができる。特に，広告主にとっては，報酬の承認作業の自動化が容易になる。このため，広告主がＡＳＰ毎に出稿依頼や承認作業を行っていた従来のシステムと比較し，本発明のシステム１００によれば，広告主のコミュニケーションコストを大幅に低減できる。
【００３５】
また，図１及び図２に示したように，管理ＡＳＰがアフィリエイト広告システム全体の管理を行うため，アフィリエイトの成果測定を，個別のＡＳＰが提供する効果測定タグ（ＨＴＭＬタグ）を使用することなく，例えば一般的に利用されている公知のワンタグを使用して行うことができる。つまり，従来は，各ＡＳＰが，効果測定タグをそれぞれ設計し，各媒体主サイトに埋め込むことにより，アフィリエイトの成果測定を行うようにしていた。しかし，媒体主が複数のＡＳＰと契約しているような場合には，一つの媒体主サイトに複数の効果測定タグを埋め込む必要があり，タグシステムを導入する手間や，タグ同士のシステム的な干渉による不具合が生じる恐れがあった。また，広告主にとっても，ＡＳＰの効果測定タグ毎に広告成果の承認を行う必要があり，承認作業の複雑化を招いていた。これに対して，本発明によれば，公知のワンタグを利用して，各媒体主サイトに埋め込むタグを一元管理することができるため，媒体主及び広告主のコストを低減できる。
【００３６】
上記した本システム１００に含まれる各サーバ装置（２０，３０，４０，５０，６０，７０）としては，一般的なサーバ型コンピュータと同じ構成を採用すればよい。具体的には，各サーバ装置は，ＣＰＵやＧＰＵによって構成されたプロセッサと，プロセッサに情報を入力するための入力装置と，プロセッサによる演算結果を出力するための出力装置と，プロセッサによる演算結果などを読み書きするために利用されるメインメモリと，所定のデータやアプリケーションプログラムを記憶するのに利用されるストレージとを備える（メインメモリとストレージを合わせて記憶装置ともいう）。入力装置及び出力装置には，インターネットを介して外部のサーバ装置や利用者端末と通信するための通信装置が含まれる。また，ストレージは，各種のデータベース（４１，５１，７１）を構成する。各サーバ装置は，ストレージに記憶されているアプリケーションプログラムをメインメモリに展開し，入力装置を介して入力された情報を，当該プログラムに従ってプロセッサによって演算処理し，その演算結果を適宜メインメモリに読み書きしながら，出力装置を介して外部に出力することができる。また，プロセッサでの演算処理に，ストレージ（データベース）に記憶されている各種のデータを適用することができる。
【００３７】
続いて，図３を参照して，本システム１００によって実行されるアフィリエイト広告管理方法のフローの一例について説明する。なお，図３のフローに即したデータ等の流れは，図２に示された矢印に対応している。
【００３８】
図３に示されるように，利用者端末１０は，第１の媒体主サーバ２０が提供する媒体主サイトにアクセスする（ステップＳ１）。この媒体主サイトには，第１のアドサーバ４０から配信された特定の広告主からのバナー広告が含まれている。媒体主サイトに利用者端末１０からのアクセスがあると，第１の媒体主サーバ２０は，利用者端末１０に対して自己の媒体主サイトの閲覧情報を送信し，この閲覧情報を利用者端末１０のＣｏｏｋｉｅ用の保存ファイルに一時的に記憶させる（ステップＳ２）。この閲覧情報には，媒体主サイトを特定するための情報や，その他の閲覧日時などに関する情報が含まれる。また，閲覧情報には，媒体主サイトに含まれるバナー広告を特定する情報が含まれていてもよい。続いて，第１の媒体主サーバ２０は，自己の媒体主サイトにアクセスした利用者端末１０の識別情報を，第１のアドサーバ４０に送信する（ステップＳ３）。識別情報には，利用者端末１０の個体識別番号やＩＰアドレスなどが含まれる。なお，利用者端末１０は，複数の第１の媒体主サーバ２０にアクセスすることができる。この場合，各第１の媒体主サーバ２０に関する閲覧履歴が，Ｃｏｏｋｉｅに保存される。
【００３９】
次に，利用者端末１０が，第２の媒体主サーバ３０が提供する媒体主サイトにアクセスする（ステップＳ４）。この媒体主サイトには，第２のアドサーバ５０から配信された特定の広告主からのバナー広告が含まれている。なお，図３に示した例において，第１のアドサーバ４０の媒体主サイトと，第２の媒体主サーバ３０の媒体主サイトには，同じ広告主サイトへのリンクを持つバナー広告が含まれている。また，図３に示した例では，第２の媒体主サーバ３０にアクセスした際に，利用者端末１０のＣｏｏｋｉｅ用の保存ファイルには，まだ第１の媒体主サーバ２０の媒体主サイトの閲覧情報が残存していることを想定している。次に，利用者端末１０により，媒体主サイト内のバナー広告がクリックされる（ステップＳ５）と，利用者端末１０は，当該バナー広告に関連付けられたハイパーリンクにより，広告主サーバ６０が提供する広告主サイトへとリンクされる（ステップＳ６）。このように媒体主サイトから広告主サイトへのリンクが行われると，第２の媒体主サーバ３０は，利用者端末１０に対してリンク情報を送信し，このリンク情報を利用者端末１０のＣｏｏｋｉｅ用の保存ファイルに一時的に記憶させる（ステップＳ７）。この閲覧情報には，利用者端末１０によりクリックされたバナー広告を特定するための情報や，そのバナー広告を提供している媒体サイトを特定するための情報が含まれる。また，第２の媒体主サーバ３０は，バナー広告をクリックした利用者端末１０の識別情報を，第２のアドサーバ５０に送信する（ステップＳ８）。また，この際に，第２の媒体主サーバ３０は，利用者端末１０によりクリックされたバナー広告を特定する情報を，第２のアドサーバ５０に送信してもよい。
【００４０】
次に，利用者端末１０が広告主サイトにアクセスした後，利用者が，その広告主サイト内で提供されている商品を購入したり或いはサービスの申込みを行うといったようなコンバージョン行動をとったとする（ステップＳ９）。ここでのコンバージョン行動とは，利用者が広告主サイトやバナー広告の目的となる特定の行動をとったこと（最終的な成果を達成したこと）を意味し，コンバージョン行動は，広告主サイトに応じてそれぞれ異なる。例えば，ＥＣサイトでは商品購入，情報提供サイトやコミュニティサイトでは会員登録，企業サイトや商品情報サイトでは問い合わせやアンケートへの回答などが，ここにいうコンバージョン行動に当たる。このように，利用者が単なる訪問者から会員や顧客に転換されることを，コンバージョンという。例えば，図１に示した例では，バナー広告を通じて広告主サイトの導入ページにリンクされてきた利用者が，広告主サイト内で商品の購入手続きなどを行い，商品の購入完了ページに遷移したときに，広告主サーバ６０は，利用者がコンバージョン行動をとったものを判断する。なお，利用者が広告主サイト内にてコンバージョン行動を取らなかった場合には，ここでの処理は終了し，アフィリエイト広告の成果報酬は支払われないこととなる。
【００４１】
次に，利用者がコンバージョン行動をとったと判断した後，広告主サーバ６０は，利用者端末１０のＣｏｏｋｉｅ用の保存ファイルに記録されている閲覧情報とリンク情報を読み出す（ステップＳ１０）。これにより，広告主サーバ６０は，これらの閲覧情報とリンク情報から，利用者が広告主サイトに辿り着くまでにアクセスした媒体主サイト（第１の媒体主サーバ２０）や，広告主サイトへのリンクを提供したバナー広告，或いはそのバナー広告を提供している媒体サイト（第２の媒体主サーバ３０）を特定することができる。ここで取得した閲覧情報やリンク情報は，成果信号の送信に利用される。
【００４２】
次に，広告主サーバ６０は，利用者端末１０から取得したリンク情報に基づいて，第２の媒体主サーバ３０にバナー広告を提供した第２のアドサーバ５０を特定し，その第２のアドサーバ５０に対して成果信号を送信する（ステップＳ１１）。この成果信号には，利用者を広告主サイトに導いたバナー広告を特定する情報や，コンバージョン行動を取った利用者を特定する情報（例：利用者端末１０の識別情報），利用者のコンバージョン行動に関する情報（例：購入した商品や申し込んだサービスに関する情報）などが含まれる。
【００４３】
次に，広告主サーバ６０から成果信号を受信した第２のアドサーバ５０は，成果確認処理を行う（ステップＳ１２）。ここで，第２のアドサーバ５０は，ステップＳ８にて第２の媒体主サーバ３０から受信した利用者端末１０の識別情報やバナー広告の特定情報と，ステップＳ１１にて広告主サーバ６０から受信した成果信号とを照合し，両者が合致するかどうかを確認する。合致が確認できた場合，第２のアドサーバ５０は，成果信号に基づいて成果レポートを作成して，管理サーバ７０に送信する（ステップＳ１３）。第２のアドサーバ５０からの成果レポートには，例えば，成果信号と同様に，利用者を広告主サイトに導いたバナー広告を特定する情報や，コンバージョン行動を取った利用者を特定する情報（例：利用者端末１０の識別情報），利用者のコンバージョン行動に関する情報（例：購入した商品や申し込んだサービスに関する情報）などが含まれる。
【００４４】
他方で，広告主サーバ６０は，利用者端末１０から取得した閲覧情報に基づいて，第１の媒体主サーバ２０にバナー広告を提供した第１のアドサーバ４０を特定し，その第１のアドサーバ４０に対しても成果信号を送信する（ステップＳ１４）。この第１の媒体主サーバ２０は，バナー広告を介して利用者端末１０を直接的に広告主サイトへ導いた第２の媒体主サーバ３０とは異なるものの，利用者が広告主サイトでコンバージョン行動を取る前に閲覧していた媒体主サイトを提供するものである。このため，第１の媒体主サーバ２０が提供する媒体主サイトは，利用者がコンバージョン行動をとる動機付けを与えていた可能性が高い。そこで，このような第１の媒体主サーバ２０を運用する媒体主にも，広告報酬を分配するために，広告主サーバ６０は，成果信号を，第１の媒体主サーバ２０にバナー広告を提供した第１のアドサーバ４０にも送信する。この成果信号には，コンバージョン行動を取った利用者を特定する情報などが含まれる。
【００４５】
次に，広告主サーバ６０から成果信号を受信した第１のアドサーバ４０は，成果確認処理を行う（ステップＳ１５）。ここで，第１のアドサーバ４０は，ステップＳ３にて第１の媒体主サーバ２０から受信した利用者端末１０の識別情報と，ステップＳ１４にて広告主サーバ６０から受信した成果信号とを照合し，両者が合致するかどうかを確認する。合致が確認できた場合，第１のアドサーバ４０は，成果信号に基づいて成果レポートを作成して，管理サーバ７０に送信する（ステップＳ１６）。第１のアドサーバ４０からの成果レポートには，例えば，利用者を特定する情報や，利用者が閲覧していた媒体主サイトを特定する情報（閲覧情報），その媒体主サイトで利用者がとった行動を特定するための情報などが含まれる。
【００４６】
次に，管理サーバ７０は，ステップＳ１３で第２のアドサーバ５０から受け取った成果レポートと，ステップＳ１６で第１のアドサーバ４０から受け取った成果レポートに基づいて，広告管理ＤＢ７１を更新する処理を行う（ステップＳ１７）。例えば，第２のアドサーバ５０からの成果レポートには，コンバージョン行動を取った利用者を特定する情報や，利用者のコンバージョン行動に関する情報に関する情報が含まれている。そこで，管理サーバ７０は，利用者の特定情報に関連付けて，当該利用者が取ったコンバージョン行動に関する情報を，広告管理ＤＢ７１に記録する。これにより，管理サーバ７０は，利用者が広告主サイトにおいてどのような商品を購入したりサービスに申し込んだのかを把握することができる。また，第１のアドサーバ４０からの成果レポートには，利用者が閲覧した媒体主サイトを特定する情報が含まれている。そこで，管理サーバ７０は，利用者の特定情報に関連付けて，当該利用者が閲覧した媒体主サイトに関する情報を，広告管理ＤＢ７１に記録する。これにより，管理サーバ７０は，利用者がどのような媒体主サイトに興味を持っているのかを把握することができる。特に，利用者の媒体サイトの閲覧傾向を分析することで，その利用者の趣味趣向を推測することができるため，利用者の閲覧情報を広告管理ＤＢ７１に集約することは有益である。
【００４７】
次に，管理サーバ７０は，ステップＳ１７において更新した広告管理ＤＢ７１に基づいて，バナー広告の制御信号を生成し，これを第１のアドサーバ４０及び第２のアドサーバ５０に送信する（ステップＳ１８，Ｓ１９）。前述したとおり，管理サーバ７０は，利用者が広告主サイトにおいてどのようなコンバージョン行動をとったのかを把握している。そして，利用者が同じ広告主サイトで同じコンバージョン行動をとる可能性は低いと推測される。そこで，管理サーバ７０は，利用者がコンバージョン行動済みのバナー広告が媒体主サイトに表示されないように，第１のアドサーバ４０及び第２のアドサーバ５０に対してバナー広告の制御信号を送信する。また，第１のアドサーバ４０及び第２のアドサーバ５０は，この管理サーバ７０から受け取った制御信号に基づいて，各広告ＤＢ４１，４５からバナー広告を読み出し，第１の媒体主サーバ２０及び第２の媒体主サーバ３０へと提供する（ステップＳ２０，Ｓ２１）。これにより，各媒体主サイトには，利用者がすでにコンバージョン済みのバナー広告が表示されなくなる。また，前述したとおり，管理サーバ７０は，利用者がどのような媒体主サイトに興味を持って閲覧していたのかを把握している。そこで，管理サーバ７０は，利用者が興味を持つと推測される広告主サイトに関連するバナー広告を媒体主サイトに表示するように，第１のアドサーバ４０及び第２のアドサーバ５０に対してバナー広告の制御信号を送信することもできる。例えば，利用者の閲覧情報に含まれる媒体主サイトと，同種の傾向を持つ広告主サイトを選定し，この広告主サイトに関するバナー広告を表示するように制御信号を生成すればよい。なお，このとき，管理サーバ７０は，外部のＤＭＰサーバから広告配信を利用者毎に最適化するための情報を取得することとしてもよい。また，第１のアドサーバ４０及び第２のアドサーバ５０は，この管理サーバ７０から受け取った制御信号に基づいて，各広告ＤＢ４１，４５からバナー広告を読み出し，第１の媒体主サーバ２０及び第２の媒体主サーバ３０へと提供する（ステップＳ２０，Ｓ２１）。これにより，各媒体主サイトには，利用者が興味を持つ可能性の高い広告主サイトに関するバナー広告が表示されるようになる。なお，管理サーバ７０は，各アドサーバ４０，５０に対する制御信号を生成するに際して，広告管理ＤＢ７１に基づいて，利用者がコンバージョン行動済みのバナー広告が媒体主サイトに表示されず，かつ，利用者が興味を持つと推測される広告主サイトに関連するバナー広告が媒体主サイトに表示されるように，制御信号を生成することが好ましい。
【００４８】
次に，管理サーバ７０は，広告主が運用する広告主サーバ６０或いは別のサーバ装置との間で，アフィリエイト広告の承認処理を行う（ステップＳ２２）。従来のアフィリエイト広告管理システムにおいては，広告主は，各ＡＳＰとの間で個別に承認処理を行う必要があったが，本発明のアフィリエイト広告管理システムによれば，広告主は，各ＡＳＰを管理する管理ＡＳＰ（管理サーバ７０）との間で，一括した承認処理を行えば済むようになる。例えば，管理サーバ７０は，各アドサーバ４０，５０から受け取った成果レポートをまとめたレポートを生成し，これを広告主のサーバ装置へと送信する。広告主のサーバ装置は，管理サーバ７０から受け取ったレポートに基づいて，広告報酬の承認処理を行う。管理サーバ７０が生成するレポートは所定のフォーマットにまとめられているため，広告主のサーバ装置は，その承認処理を自動化することもできる。これにより，承認処理における広告主のコミュニケーションコストを大幅に低減できる。
【００４９】
承認処理の完了後，管理サーバ７０は，広告主のサーバ装置に，広告報酬を一括して請求する（ステップＳ２３）。従来は，広告主は各ＡＳＰに対して個別に広告報酬を支払う必要があったが，本発明によれば，広告主は管理ＡＳＰ一社に対して広告報酬をまとめて支払えば済むようになる。続いて，第１のアドサーバ４０と第２のアドサーバ５０が，管理サーバ７０に対して，広告報酬を請求する（ステップＳ２４，２５）。そして，最後に，第２の媒体主サーバ３０が第２のアドサーバ５０に対して広告報酬を請求し（ステップＳ２６），また第１の媒体主サーバ２０が第１のアドサーバ４０に対して広告報酬を請求する（ステップＳ２７）。このように，本発明のシステムでは，広告報酬を，利用者を広告主サイトに直接的に導いた媒体主サイトだけでなく，その媒体主サイトの前に利用者が閲覧していた他の媒体主サイトに対しても分配することができる。これにより，各媒体主サイトの収益性を向上及び安定化させることが可能になる。なお，広告主から支払われる広告報酬は，管理サーバ７０を運用する管理ＡＳＰ，第１のアドサーバ４０を運用するＡＳＰ，第２のアドサーバ５０を運用するＡＳＰ，第１の媒体主サーバ２０を運用する媒体主，及び第２の媒体主サーバ３０を運用する媒体主で分配することとなるが，その分配比率は適宜調整すればよい。
【００５０】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５１】
本発明は，アフィリエイト広告管理方法などに関する。従って，本発明は，インターネットを介した広告業において公的に利用することができる。
【符号の説明】
【００５２】
１０…利用者端末
２０…第１の媒体主サーバ
３０…第２の媒体主サーバ
４０…第１のアドサーバ
４１…広告データベース
５０…第２のアドサーバ
５１…広告データベース
６０…広告主サーバ
７０…管理サーバ
７１…広告管理データベース
１００…アフィリエイト広告管理システム
【図１】
2018092390.tif 000003
【図２】
2018092390.tif 000004
【図３】
2018092390.tif 000005
【図４】
2018092390.tif 000006